(57)【要約】【課題】本発明は、撮影操作に応じて被写体を表す画像信号を生成して記録する撮影装置に関し、ハードディスク装置が内蔵された撮影装置における起動時のシステムダウンを回避する撮影装置を提供することを目的とする。【解決手段】それぞれが多大な電力を消費する動作であるレンズ鏡胴駆動動作（ステップＳ１１）、磁気ディスク回転動作（ステップＳ１２）、およびメインコンデンサ充電動作（ステップＳ１３）の各々の動作を時間的に排他的に順次実行する。【選択図】        図５
2006254011.tif 000002
【特許請求の範囲】
【請求項１】
装填された電池から電力供給を受けて動作し、撮影操作に応じて被写体を表す画像信号を生成して記録する撮影装置において、
繰出しにより撮影可能状態となる沈胴自在なレンズ鏡胴と、
前記電池から電力供給を受けて前記レンズ鏡胴を駆動するレンズ鏡胴駆動部と、
情報を記録する磁気ディスクを内蔵したハードディスク装置と、
前記電池から電力供給を受けて前記磁気ディスクを所定の回転数に回転させる磁気ディスク駆動部と、
メインコンデンサに蓄積された電力の供給を受けて閃光を発する発光部と、
前記電池から電力供給を受けて前記メインコンデンサを充電するコンデンサ充電部と、
前記レンズ鏡胴駆動部によるレンズ鏡胴駆動動作、前記磁気ディスク駆動部による磁気ディスク回転動作、および前記コンデンサ充電部によるメインコンデンサ充電動作の各々の動作を時間的に排他的に順次実行する処理装置とを備えたことを特徴とする撮影装置。
【請求項２】
装填された電池から電力供給を受けて動作し、撮影操作に応じて被写体を表す画像信号を生成して記録する撮影装置において、
繰出しにより撮影可能状態となる沈胴自在なレンズ鏡胴と、
前記電池から電力供給を受けて前記レンズ鏡胴を駆動するレンズ鏡胴駆動部と、
情報を記録する磁気ディスクを内蔵したハードディスク装置と、
前記電池から電力供給を受けて前記磁気ディスクを所定の回転数に回転させる磁気ディスク駆動部と、
前記レンズ鏡胴駆動部によるレンズ鏡胴駆動動作、および前記磁気ディスク駆動部による磁気ディスク回転動作の各々の動作を時間的に排他的に順次実行する処理装置とを備えたことを特徴とする撮影装置。
【請求項３】
装填された電池から電力供給を受けて動作し、撮影操作に応じて被写体を表す画像信号を生成して記録する撮影装置において、
情報を記録する磁気ディスクを内蔵したハードディスク装置と、
前記電池から電力供給を受けて前記磁気ディスクを所定の回転数に回転させる磁気ディスク駆動部と、
メインコンデンサに蓄積された電力の供給を受けて閃光を発する発光部と、
前記電池から電力供給を受けて前記メインコンデンサを充電するコンデンサ充電部と、
前記磁気ディスク駆動部による磁気ディスク回転動作、および前記コンデンサ充電部によるメインコンデンサ充電動作の各々の動作を時間的に排他的に順次実行する処理装置とを備えたことを特徴とする撮影装置。
【請求項４】
装填された電池から電力供給を受けて動作し、撮影操作に応じて被写体を表す画像信号を生成して記録する撮影装置において、
繰出しにより撮影可能状態となる沈胴自在なレンズ鏡胴と、
前記電池から電力供給を受けて前記レンズ鏡胴を駆動するレンズ鏡胴駆動部と、
情報を記録する磁気ディスクを内蔵したハードディスク装置と、
前記電池から電力供給を受けて前記磁気ディスクを所定の回転数に回転させる磁気ディスク駆動部と、
メインコンデンサに蓄積された電力の供給を受けて閃光を発する発光部と、
前記電池から電力供給を受けて前記メインコンデンサを充電するコンデンサ充電部と、
前記電池の電圧を計測する電圧計測部と、
前記レンズ鏡胴駆動部によるレンズ鏡胴駆動動作、前記磁気ディスク駆動部による磁気ディスク回転動作、および前記コンデンサ充電部によるメインコンデンサ充電動作のうちの何れか１つの動作の実行を開始して前記電圧計測部による電圧の計測を実行し、該電圧計測部で計測された電圧が所定の電圧以上の場合には、実行している動作と並行して他の１つの動作を実行する処理装置とを備えたことを特徴とする撮影装置。
【請求項５】
装填された電池から電力供給を受けて動作し、撮影操作に応じて被写体を表す画像信号を生成して記録する撮影装置において、
繰出しにより撮影可能状態となる沈胴自在なレンズ鏡胴と、
前記電池から電力供給を受けて前記レンズ鏡胴を駆動するレンズ鏡胴駆動部と、
情報を記録する磁気ディスクを内蔵したハードディスク装置と、
前記電池から電力供給を受けて前記磁気ディスクを所定の回転数に回転させる磁気ディスク駆動部と、
前記電池の電圧を計測する電圧計測部と、
前記レンズ鏡胴駆動部によるレンズ鏡胴駆動動作、および前記磁気ディスク駆動部による磁気ディスク回転動作のうちの何れか一方の動作の実行を開始して前記電圧計測部による電圧の計測を実行し、該電圧計測部で計測された電圧が所定の電圧以上の場合には、実行している動作と並行して他方の動作を実行する処理装置とを備えたことを特徴とする撮影装置。
【請求項６】
装填された電池から電力供給を受けて動作し、撮影操作に応じて被写体を表す画像信号を生成して記録する撮影装置において、
情報を記録する磁気ディスクを内蔵したハードディスク装置と、
前記電池から電力供給を受けて前記磁気ディスクを所定の回転数に回転させる磁気ディスク駆動部と、
メインコンデンサに蓄積された電力の供給を受けて閃光を発する発光部と、
前記電池から電力供給を受けて前記メインコンデンサを充電するコンデンサ充電部と、
前記電池の電圧を計測する電圧計測部と、
前記磁気ディスク駆動部による磁気ディスク回転動作、および前記コンデンサ充電部によるメインコンデンサ充電動作のうちの何れか一方の動作の実行を開始して前記電圧計測部による電圧の計測を実行し、該電圧計測部で計測された電圧が所定の電圧以上の場合には、実行している動作と並行して他方の動作を実行する処理装置とを備えたことを特徴とする撮影装置。
【発明の詳細な説明】
【技術分野】
【０００１】
本発明は、撮影操作に応じて被写体を表す画像信号を生成して記録する撮影装置に関する。
【背景技術】
【０００２】
従来より、撮像素子上に被写体の像を結像させて、その被写体を表す画像データを取り込むデジタルカメラ等の撮影装置が知られている。このような撮影装置に用いられる記録メディアとしては、スマートメディア（登録商標）、ｘＤ−ピクチャーカード（登録商標）、ＳＤメモリカード（登録商標）、コンパクトフラッシュ（登録商標）、メモリースティック（登録商標）などといった様々なメモリカードが各社から市販されており、撮影装置に所定のメモリカードを装填して撮影することによって、装填されたメモリカードに被写体を表す画像データが記録される。
【０００３】
近年、高画質の静止画像を得ることのできるデジタルカメラが普及してきており、このようなデジタルカメラで高画質の静止画像を記録する場合は、１つ１つの画像データのデータサイズが大きくなることから、上述したメモリカードの容量よりも更に大容量の記録メディアが求められている。撮影装置に用いられる大容量の記録メディアとしては、例えばマイクロドライブに代表されるハードディスク装置が知られている（例えば、特許文献１参照。）。
【特許文献１】特開２００４−１８７０５７号公報
【発明の開示】
【発明が解決しようとする課題】
【０００４】
ここで、撮影装置の中には、繰出しにより撮影可能状態となる沈胴自在なレンズ鏡胴を備えた撮影装置や、メインコンデンサに蓄積された電力の供給を受けて閃光を発する発光部を備えた撮影装置もあり、このような撮影装置の電源ボタンが操作されてこの撮影装置の起動処理が開始されると、レンズ鏡胴の繰り出し動作や、メインコンデンサの充電が実行される。
【０００５】
また、上述した特許文献１に提案された撮影装置に内蔵されたハードディスク装置には記録媒体である磁気ディスクが内蔵されていて、この磁気ディスクをモータで回転させてデータの記録やデータの再生が行われる。従って、この特許文献１に提案された撮影装置の起動処理が開始されると、磁気ディスクが所定の回転数で回転されることとなる。
【０００６】
一般に、デジタルカメラに代表される撮影装置には電池が装填され、その撮影装置は装填された電池から電力供給を受けて動作する。上述したレンズ鏡胴の繰り出し動作や、メインコンデンサの充電、および磁気ディスクの回転動作は、それぞれ多大な電力が消費される動作であるため、電池の残量が少ない場合には撮影装置の起動が不可能となるおそれがある。
【０００７】
本発明は、上記事情に鑑み、ハードディスク装置が内蔵された撮影装置における起動時のシステムダウンを回避する撮影装置を提供することを目的とするものである。
【課題を解決するための手段】
【０００８】
上記目的を達成する本発明の撮影装置のうちの第１の撮影装置は、
装填された電池から電力供給を受けて動作し、撮影操作に応じて被写体を表す画像信号を生成して記録する撮影装置において、
繰出しにより撮影可能状態となる沈胴自在なレンズ鏡胴と、
上記電池から電力供給を受けて上記レンズ鏡胴を駆動するレンズ鏡胴駆動部と、
情報を記録する磁気ディスクを内蔵したハードディスク装置と、
上記電池から電力供給を受けて上記磁気ディスクを所定の回転数に回転させる磁気ディスク駆動部と、
メインコンデンサに蓄積された電力の供給を受けて閃光を発する発光部と、
上記電池から電力供給を受けて上記メインコンデンサを充電するコンデンサ充電部と、
上記レンズ鏡胴駆動部によるレンズ鏡胴駆動動作、上記磁気ディスク駆動部による磁気ディスク回転動作、および上記コンデンサ充電部によるメインコンデンサ充電動作の各々の動作を時間的に排他的に順次実行する処理装置とを備えたことを特徴とする。
【０００９】
本発明の撮影装置のうちの第１の撮影装置は、それぞれが多大な電力を消費する動作である上記レンズ鏡胴駆動動作、上記磁気ディスク回転動作、および上記メインコンデンサ充電動作の各々の動作を時間的に排他的に順次実行するものであるため、起動時にこの第１の撮影装置がシステムダウンすることが回避される。
【００１０】
また、上記目的を達成する本発明の撮影装置のうちの第２の撮影装置は、
装填された電池から電力供給を受けて動作し、撮影操作に応じて被写体を表す画像信号を生成して記録する撮影装置において、
繰出しにより撮影可能状態となる沈胴自在なレンズ鏡胴と、
上記電池から電力供給を受けて上記レンズ鏡胴を駆動するレンズ鏡胴駆動部と、
情報を記録する磁気ディスクを内蔵したハードディスク装置と、
上記電池から電力供給を受けて上記磁気ディスクを所定の回転数に回転させる磁気ディスク駆動部と、
上記レンズ鏡胴駆動部によるレンズ鏡胴駆動動作、および上記磁気ディスク駆動部による磁気ディスク回転動作の各々の動作を時間的に排他的に順次実行する処理装置とを備えたことを特徴とする。
【００１１】
本発明の撮影装置のうちの第２の撮影装置は、それぞれが多大な電力を消費する動作である上記レンズ鏡胴駆動動作、および上記磁気ディスク回転動作の各々の動作を時間的に排他的に順次実行するものであるため、起動時にこの第２の撮影装置がシステムダウンすることが回避される。
【００１２】
また、上記目的を達成する本発明の撮影装置のうちの第３の撮影装置は、
装填された電池から電力供給を受けて動作し、撮影操作に応じて被写体を表す画像信号を生成して記録する撮影装置において、
情報を記録する磁気ディスクを内蔵したハードディスク装置と、
上記電池から電力供給を受けて上記磁気ディスクを所定の回転数に回転させる磁気ディスク駆動部と、
メインコンデンサに蓄積された電力の供給を受けて閃光を発する発光部と、
上記電池から電力供給を受けて上記メインコンデンサを充電するコンデンサ充電部と、
上記磁気ディスク駆動部による磁気ディスク回転動作、および上記コンデンサ充電部によるメインコンデンサ充電動作の各々の動作を時間的に排他的に順次実行する処理装置とを備えたことを特徴とする。
【００１３】
本発明の撮影装置のうちの第３の撮影装置は、それぞれが多大な電力を消費する動作である上記磁気ディスク回転動作、および上記メインコンデンサ充電動作の各々の動作を時間的に排他的に順次実行するものであるため、起動時にこの第３の撮影装置がシステムダウンすることが回避される。
【００１４】
また、上記目的を達成する本発明の撮影装置のうちの第４の撮影装置は、
装填された電池から電力供給を受けて動作し、撮影操作に応じて被写体を表す画像信号を生成して記録する撮影装置において、
繰出しにより撮影可能状態となる沈胴自在なレンズ鏡胴と、
上記電池から電力供給を受けて上記レンズ鏡胴を駆動するレンズ鏡胴駆動部と、
情報を記録する磁気ディスクを内蔵したハードディスク装置と、
上記電池から電力供給を受けて上記磁気ディスクを所定の回転数に回転させる磁気ディスク駆動部と、
メインコンデンサに蓄積された電力の供給を受けて閃光を発する発光部と、
上記電池から電力供給を受けて上記メインコンデンサを充電するコンデンサ充電部と、
上記電池の電圧を計測する電圧計測部と、
上記レンズ鏡胴駆動部によるレンズ鏡胴駆動動作、上記磁気ディスク駆動部による磁気ディスク回転動作、および上記コンデンサ充電部によるメインコンデンサ充電動作のうちの何れか１つの動作の実行を開始して上記電圧計測部による電圧の計測を実行し、その電圧計測部で計測された電圧が所定の電圧以上の場合には、実行している動作と並行して他の１つの動作を実行する処理装置とを備えたことを特徴とする。
【００１５】
本発明の撮影装置のうちの第４の撮影装置は、それぞれが多大な電力を消費する動作である上記レンズ鏡胴駆動動作、上記磁気ディスク回転動作、および上記メインコンデンサ充電動作のうちの何れか１つの動作の実行を開始して電池の電圧の計測を実行し、計測された電圧が所定の電圧以上の場合には、実行している動作と並行して他の１つの動作を実行するものであるため、起動時にこの第４の撮影装置がシステムダウンすることが回避される。また、計測された電圧が所定の電圧以上の場合には、この第４の撮影装置を、常に各々の動作を時間的に排他的に実行する撮影装置よりも短時間で起動することができる。
【００１６】
また、上記目的を達成する本発明の撮影装置のうちの第５の撮影装置は、
装填された電池から電力供給を受けて動作し、撮影操作に応じて被写体を表す画像信号を生成して記録する撮影装置において、
繰出しにより撮影可能状態となる沈胴自在なレンズ鏡胴と、
上記電池から電力供給を受けて上記レンズ鏡胴を駆動するレンズ鏡胴駆動部と、
情報を記録する磁気ディスクを内蔵したハードディスク装置と、
上記電池から電力供給を受けて上記磁気ディスクを所定の回転数に回転させる磁気ディスク駆動部と、
上記電池の電圧を計測する電圧計測部と、
上記レンズ鏡胴駆動部によるレンズ鏡胴駆動動作、および上記磁気ディスク駆動部による磁気ディスク回転動作のうちの何れか一方の動作の実行を開始して上記電圧計測部による電圧の計測を実行し、その電圧計測部で計測された電圧が所定の電圧以上の場合には、実行している動作と並行して他方の動作を実行する処理装置とを備えたことを特徴とする。
【００１７】
本発明の撮影装置のうちの第５の撮影装置は、それぞれが多大な電力を消費する動作である上記レンズ鏡胴駆動動作、および上記磁気ディスク回転動作のうちの何れか一方の動作の実行を開始して電池の電圧の計測を実行し、計測された電圧が所定の電圧以上の場合には、実行している動作と並行して他方の動作を実行するものであるため、起動時にこの第５の撮影装置がシステムダウンすることが回避される。また、計測された電圧が所定の電圧以上の場合には、この第５の撮影装置を、常に各々の動作を時間的に排他的に実行する撮影装置よりも短時間で起動することができる。
【００１８】
また、上記目的を達成する本発明の撮影装置のうちの第６の撮影装置は、
装填された電池から電力供給を受けて動作し、撮影操作に応じて被写体を表す画像信号を生成して記録する撮影装置において、
情報を記録する磁気ディスクを内蔵したハードディスク装置と、
上記電池から電力供給を受けて上記磁気ディスクを所定の回転数に回転させる磁気ディスク駆動部と、
メインコンデンサに蓄積された電力の供給を受けて閃光を発する発光部と、
上記電池から電力供給を受けて上記メインコンデンサを充電するコンデンサ充電部と、
上記電池の電圧を計測する電圧計測部と、
上記磁気ディスク駆動部による磁気ディスク回転動作、および上記コンデンサ充電部によるメインコンデンサ充電動作のうちの何れか一方の動作の実行を開始して上記電圧計測部による電圧の計測を実行し、その電圧計測部で計測された電圧が所定の電圧以上の場合には、実行している動作と並行して他方の動作を実行する処理装置とを備えたことを特徴とする。
【００１９】
本発明の撮影装置のうちの第６の撮影装置は、それぞれが多大な電力を消費する動作である上記磁気ディスク回転動作、および上記メインコンデンサ充電動作のうちの何れか一方の動作の実行を開始して電池の電圧の計測を実行し、計測された電圧が所定の電圧以上の場合には、実行している動作と並行して他方の動作を実行するものであるため、起動時にこの第６の撮影装置がシステムダウンすることが回避される。また、計測された電圧が所定の電圧以上の場合には、この第６の撮影装置を、常に各々の動作を時間的に排他的に実行する撮影装置よりも短時間で起動することができる。
【発明の効果】
【００２０】
本発明によれば、ハードディスク装置が内蔵された撮影装置における起動時のシステムダウンを回避する撮影装置が提供される。
【発明を実施するための最良の形態】
【００２１】
以下、図面を参照して本発明の実施の形態を説明する。
【００２２】
ここでは、本発明を、装填された二次電池から電力供給を受けて動作し、撮像素子（ここでは、Ｃｈａｒｇｅ  Ｃｏｕｐｌｅｄ  Ｄｅｖｉｃｅ：ＣＣＤとする）上に被写体の像を結像させて、その被写体を表す撮影画像データを取り込むデジタルカメラに適用した実施形態について説明する。尚、このデジタルカメラは、デジタルカメラ本体に対して光軸方向に進退する沈胴式のレンズ鏡胴を備えたデジタルカメラであって、撮影時にはレンズ鏡胴が繰り出され、非撮影時にはレンズ鏡胴がレンズの焦点距離領域より更に沈胴されて、レンズ先端部がデジタルカメラ本体より突出しないデジタルカメラである。
【００２３】
図１は、本発明の撮影装置の第１実施形態が適用されたデジタルカメラであって、レンズ鏡胴がカメラ本体に収納されている沈胴状態を示す外観斜視図であり、図２は、図１に示すデジタルカメラであって、レンズ鏡胴が繰り出されている繰出状態を示す斜視図である。
【００２４】
図１，図２に示すように、デジタルカメラ１００の正面の中央部には、外観上、ズームレンズや、被写体に焦点を合わせるフォーカスレンズなどで構成される撮影レンズ１０１ａを内部に備えたレンズ鏡胴１０１が備えられている。このレンズ鏡胴１０１は、本発明にいうレンズ鏡胴の一例に相当する。また、このデジタルカメラ１００の前面上部には、撮影者が被写体の位置などを定めるために覗く光学式ファインダ対物窓１０２、およびシャッタレリーズボタン１０５の押下に同期して発光する閃光発光装置１０３が備えられている。さらに、このデジタルカメラ１００の上面には、スライド式の電源ボタン１０４、および撮影時に押下されるシャッタレリーズボタン１０５が備えられている。シャッタレリーズボタン１０５は半押し、および全押しの２段階に押下可能であり、撮影レンズ１０１ａ内のフォーカスレンズに取り付けられたモータを光軸方向に駆動して撮影画角の中央領域に焦点を合わせる、フォーカス機能によるフォーカシングが連続的に行われていて、シャッタレリーズボタン１０５を半押しすると、フォーカスレンズの位置をその半押しされた時点の位置に固定するフォーカスロックが設定され、シャッタレリーズボタン１０５を全押しすると、シャッタが切られて実際の撮影が行われる。デジタルカメラ１００の内部には、撮影レンズ１０１ａの背面に配備されたＣＣＤ１１３（図４参照）が備えられている。撮影レンズ１０１ａを経由してきた被写体光はＣＣＤ１１３に入射されて電気信号であるアナログの画像信号に変換される。
【００２５】
図３は、図１，図２に示すデジタルカメラを背面斜め上から見た外観斜視図である。
【００２６】
図３に示すように、このデジタルカメラ１００の背面には、光学式ファインダ接眼窓１０６と、メニューボタン１０７１と、画面切換ボタン１０７２と、操作部１０７３ａと操作部１０７３ｂとからなるズーム操作キー１０７３と、各種選択操作を行う十字キー１０７４と、各種操作によって変更された設定を確定する実行ボタン１０７５と、画像やメニューを表示する液晶ディスプレイ（Ｌｉｑｕｉｄ  Ｃｒｙｓｔａｌ  Ｄｉｓｐｌａｙ：ＬＣＤ）パネル１０８とが備えられている。ズーム操作キー１０７３の一方の操作部１０７３ａを押すと、押し続けている間、レンズ鏡胴１０１が沈胴状態から最大繰出状態に向かって移動し、ズーム操作キー１０７３のもう一方の操作部１０７３ｂを押すと、押し続けている間、レンズ鏡胴１０１が繰出状態から沈胴状態に向かって移動する。
【００２７】
図４は、図１〜図３に示すデジタルカメラ１００のブロック図である。尚、この図４に示す各矢印は制御線を表したものである。
【００２８】
デジタルカメラ１００には、光学系１１０、光学系駆動部１２０、画像信号処理部１３０、ＣＰＵ１４０、操作部１４１、コンデンサ充電制御部１４２、閃光発光装置１４３、電源制御部１４４、二次電池１４５、メモリＩ／Ｆ１５１、ＲＯＭ１５２、ＲＡＭ１５３、ハードディスクＩ／Ｆ１６１、ハードディスク装置１６２、および画像表示装置１７０が具備されている。また、光学系１１０には、ズームレンズ１１１、アイリス１１２、およびフォーカスレンズ１１３が備えられている。また、光学系駆動部１２０には、ズームモータ１２１、絞りモータ１２２、およびフォーカスモータ１２３が備えられている。さらに、画像信号処理部１３０には、ＣＣＤ１３１、アナログ信号処理部１３２、ＡＤＣ（Ａｎａｌｏｇ  ｔｏ  Ｄｉｇｉｔａｌ  Ｃｏｎｖｅｒｔｅｒ）１３３、およびデジタル信号処理部１３４が備えられている。
【００２９】
まず、光学系１１０および光学系駆動部１２０の要素について説明する。
【００３０】
ズームレンズ１１１は、焦点距離の変化に係わるレンズである。尚、本来、デジタルカメラなどといった撮影装置の光学系には複数のレンズが配備され、それら複数のレンズのうち少なくとも１つのレンズがピントの調節に大きく関与し、各レンズの相対位置が焦点距離に関与するが、この図４では、それらの複数のレンズのうち、焦点距離の変化に係わるレンズをズームレンズ１１１として模式的に示しており、ピントの調節に係わるレンズをフォーカスレンズ１１３として模式的に示している。ズームレンズ１１１にはズームモータ１２１が取り付けられており、そのズームモータ１２１はＣＰＵ１４０からの指示に従った指示信号によって駆動される。ズーム操作キー１０７３の操作部１０７３ａや操作部１０７３ｂが操作されると、ＣＰＵ１４０からの、ズームレンズ１１１を所定の駆動範囲内で移動させる指示に従った指示信号がズームモータ１２１に与えられる。ズームモータ１２１がその指示信号に従って回転すると、ズームレンズ１１１が移動する。
【００３１】
アイリス１１２には、図示しない大きさの異なる２つの孔が設けられている。また、アイリス１１２には絞りモータ１２２が取り付けられており、その絞りモータ１２２はＣＰＵ１４０からの指示に従った指示信号によって駆動される。ＣＰＵ１４０からの指示に従った指示信号が絞りモータ１２２に与えられ、絞りモータ１２２がその指示信号に従って回転すると、アイリス１１２に設けられた孔が切り替えられる。このような切り替えによって、被写体光の光量が調整される。
【００３２】
フォーカスレンズ１１３は、被写体に焦点を合わせるためのレンズである。フォーカスレンズ１１３にはフォーカスモータ１２３が取り付けられており、そのフォーカスモータ１２３はＣＰＵ１４０からの指示に従った指示信号によって駆動される。ＣＰＵ１４０からの、フォーカスレンズ１１３を所定の駆動範囲内で移動させる指示や、フォーカスレンズ１１３を合焦位置に向かわせるための合焦位置の指示などを受けて、それらの指示に従った指示信号がフォーカスモータ１２３に与えられる。フォーカスモータ１２３がその指示信号に従って回転すると、フォーカスレンズ１１３が移動する。
【００３３】
レンズ鏡胴１０１の内部にはズームレンズ１１１、アイリス１１２、およびフォーカスレンズ１１３が備えられている。このレンズ鏡胴１０１にはレンズ鏡胴駆動モータ１２４が取り付けられており、そのレンズ鏡胴駆動モータ１２４はＣＰＵ１４０からの指示に従った指示信号によって駆動される。図１〜図３に示す電源ボタン１０４のスライド操作やズーム操作キー１０７３の押下によって、ＣＰＵ１４０からの、レンズ鏡胴１０１を繰り出したり沈胴させる指示に従った指示信号がレンズ鏡胴駆動モータ１２４に与えられる。レンズ鏡胴駆動モータ１２４がその指示信号に従って回転すると、レンズ鏡胴１０１が移動する。このレンズ鏡胴駆動モータ１２４は、本発明にいうレンズ鏡胴駆動部の一例に相当する。
【００３４】
以上が光学系１１０および光学系駆動部１２０の構成である。
【００３５】
次に、被写体を撮影し、その撮影画像に画像信号処理部１３０で信号処理を施す要素について説明する。
【００３６】
操作部１４１は、図１〜図３に示す電源ボタン１０４、シャッタレリーズボタン１０５、メニューボタン１０７１、画面切換ボタン１０７２、操作部１０７３ａと操作部１０７３ｂとからなるズーム操作キー１０７３、十字キー１０７４、および実行ボタン１０７５をまとめて表示したものであって、各ボタンには、各ボタンの操作に同期して入切される各スイッチが接続されている。これらの各スイッチが設定されると、ＣＰＵ１２６に各スイッチの設定状況が伝えられる。
【００３７】
デジタルカメラ１００に二次電池１４５を装填し、図１〜図３に示す電源ボタン１０４をスライド操作して電源スイッチが入れられるとデジタルカメラ１００が駆動される。
【００３８】
ＣＣＤ１３１は、図１，図２に示す撮影レンズ１０１ａを通ってきた被写体光を受光して、被写体光に基づく被写体像を、アナログ信号である被写体信号として読み取る。この被写体信号は、ＣＰＵ１４０からの指示に従って、アナログ信号処理部１３２に出力される。
【００３９】
ＣＰＵ１４０は、所定時間ごと、あるいは図１〜図３に示すシャッタレリーズボタン１０５が押されたときに、ＣＣＤ１３１に被写体信号を出力させる指示を送る。アナログ信号処理部１３２は、増幅率を調整してその調整された増幅率で被写体信号を増幅する。ＡＤＣ１３３は、被写体信号をデジタルデータである撮影画像データに変換する。デジタルカメラ１００は、フォーカスレンズ１１３の合焦位置を検出する合焦動作を行うために、本撮影の前にも撮影画像データを生成する。また、本撮影時に生成される解像度の高い撮影画像データは、メモリＩ／Ｆ１５１を介してＲＡＭ１５３に送られて書き込まれる。デジタル信号処理部１３４は、本撮影時に生成されてＲＡＭ１５３に書き込まれた撮影画像データをメモリＩ／Ｆ１５１を介してＲＡＭ１５３から読み出して、その撮影画像データのＲＧＢレベルの調節、ガンマ調整、圧縮処理などを行う。また、ハードディスク装置１６２には、情報を記録する磁気ディスク１６２ａが内蔵されている。この磁気ディスク１６２ａには磁気ディスク駆動モータ１６３が取り付けられており、その磁気ディスク駆動モータ１６３はＣＰＵ１４０からの指示に従った指示信号によって所定の回転数に回転される。このハードディスク装置１６２に内蔵された磁気ディスク１６２ａに、ハードディスクＩ／Ｆ１６１を介して撮影画像データが記録される。このハードディスク装置１６２は、本発明にいうハードディスク装置の一例に相当し、この磁気ディスク駆動モータ１６３は、本発明にいう磁気ディスク駆動部の一例に相当する。
【００４０】
画像表示装置１７０は、メニュー画面や撮影画像データが表す撮影画像をＬＣＤパネル１０８（図３参照）に表示させる。また、この画像表示装置１７０は、電源制御部１４４を介して、デジタルカメラ１００に装填された二次電池１４５の電池残量もＬＣＤパネル１０８（図３参照）に表示させる。
【００４１】
閃光発光装置１４３にはメインコンデンサが内蔵されていて、コンデンサ充電制御部１４２は、二次電池１４５から電力供給を受けてそのメインコンデンサを充電する。閃光発光装置１４３は、メインコンデンサに蓄積された電力の供給を受けて閃光を発する。このコンデンサ充電制御部１４２は、本発明にいうコンデンサ充電部の一例に相当し、この閃光発光装置１４３は、本発明にいう発光部の一例に相当する。
【００４２】
ＲＯＭ１５２には、オペレーティングシステム、およびデジタルカメラ１００を動作させるアプリケーションソフトウェアが格納されている。
【００４３】
ＲＡＭ１５３には、撮影時に一時的に蓄えられる撮影画像データが書き込まれる。
【００４４】
また、ＣＰＵ１４０は、図１〜図４に示すデジタルカメラ１００の各種要素を制御したり、オペレーティングシステムやアプリケーションソフトウェアを実行する。このＣＰＵ１４０は、本発明にいう処理装置の一例に相当する。
【００４５】
第１実施形態のデジタルカメラ１００は、基本的には以上のように構成されている。
【００４６】
ここで、デジタルカメラ１００における、本発明の第１実施形態としての特徴は、起動処理が開始されてから撮影操作が可能な状態となるまでの間における動作にあり、以下、この動作について説明する。
【００４７】
図５は、デジタルカメラ１００の起動処理が開始されてから撮影操作が可能な状態となるまでの間における動作の流れを説明するフローチャートである。
【００４８】
図５に示すフローチャートで説明する動作は、電源ボタン１０４がスライド操作されることによって開始される。
【００４９】
まず、電源ボタン１０４がスライド操作されたことを受けて、ＣＰＵ１４０からの、沈胴式のレンズ鏡胴１０１がデジタルカメラ１００の本体に収納されている沈胴状態（図１参照）のレンズ鏡胴１０１を繰り出させるレンズ鏡胴駆動動作の指示に従った指示信号がレンズ鏡胴駆動モータ１２４に与えられる。レンズ鏡胴駆動モータ１２４がその指示信号に従って回転すると、レンズ鏡胴１０１が繰り出されて、撮影可能な繰出状態（図２参照）となる（ステップＳ１１）。
【００５０】
ステップＳ１１によるレンズ鏡胴駆動動作が完了したことを受けて、ＣＰＵ１４０からの、ハードディスク装置１６２に内蔵された磁気ディスク１６２ａを所定の回転数で回転させる磁気ディスク回転動作（スピンアップ動作）の指示に従った指示信号が磁気ディスク駆動モータ１６３に与えられ、磁気ディスク１６２ａが所定の回転数で回転する（ステップＳ１２）。
【００５１】
ステップＳ１２によるスピンアップ動作が完了したことを受けて、ＣＰＵ１４０からの、メインコンデンサを充電するメインコンデンサ充電動作の指示に従った指示信号がコンデンサ充電制御部１４２に与えられ、コンデンサ充電制御部１４２がその指示信号に従ってメインコンデンサを充電する（ステップＳ１３）。
【００５２】
このように、上述した第１実施形態のデジタルカメラ１００は、それぞれが多大な電力を消費する動作である上記レンズ鏡胴駆動動作（ステップＳ１１）、上記磁気ディスク回転動作（ステップＳ１２）、および上記メインコンデンサ充電動作（ステップＳ１３）の各々の動作を時間的に排他的に順次実行するものであるため、起動時にこのデジタルカメラ１００がシステムダウンすることが回避される。
【００５３】
尚、上述した第１実施形態では、レンズ鏡胴駆動動作の完了後に磁気ディスク回転動作を開始し、磁気ディスク回転動作の完了後にメインコンデンサ充電動作を開始する例を挙げたが、本発明は、これに限られるものではなく、各々の動作が時間的に排他的に順次実行されれば各々の動作の順序は問わない。
【００５４】
また、上述した第１実施形態では、沈胴式のレンズ鏡胴、ハードディスク装置、および閃光発光装置を備えたデジタルカメラの例を挙げたが、本発明は、これら３要素のうちの何れか２要素を備えた撮像装置において、この撮像装置に備えられた２要素の各々の動作を時間的に排他的に順次実行するものであってもよい。
【００５５】
以上で、本発明の第１実施形態の説明を終了する。
【００５６】
次に、第２実施形態として、沈胴式のレンズ鏡胴、ハードディスク装置、および閃光発光装置を備えたデジタルカメラにおいて、これら３要素のうちの、レンズ鏡胴を繰り出させるレンズ鏡胴駆動動作の実行を開始して電池の電圧の計測を実行し、計測された電圧が所定の電圧以上の場合には、実行している動作と並行して、ハードディスク装置に内蔵された磁気ディスクを所定の回転数で回転させる磁気ディスク回転動作を実行する実施形態について説明する。
【００５７】
尚、以下説明する第２実施形態では、第１実施形態で説明した装置構成とほぼ同じ装置構成を有するため、第１実施形態との相違点に注目し、同じ要素については同じ符号を付して説明を省略する。
【００５８】
図６は、本発明の撮影装置の第２実施形態が適用されたデジタルカメラ２００のブロック図である。
【００５９】
図６に示す電源制御部１４６は、電源ボタン１０４がスライド操作されてレンズ鏡胴が繰り出されるレンズ鏡胴駆動動作の実行開始を受けて、デジタルカメラ２００に装填された二次電池１４５の電圧の計測を実行する。また、この電源制御部１４６は、その二次電池１４５の電池残量をＬＣＤパネル１０８に表示させる。この電源制御部１４６は、本発明にいう電圧計測部の一例に相当する。
【００６０】
第２実施形態のデジタルカメラ２００は、基本的には以上のように構成されている。
【００６１】
ここで、デジタルカメラ２００における、本発明の一実施形態としての特徴は、起動処理が開始されてから撮影操作が可能な状態となるまでの間における動作にあり、以下、この動作について説明する。
【００６２】
図７は、デジタルカメラ２００の起動処理が開始されてから撮影操作が可能な状態となるまでの間における動作の流れを説明するフローチャートである。
【００６３】
図７に示すフローチャートで説明する動作は、電源ボタン１０４がスライド操作されることによって開始される。
【００６４】
まず、電源ボタン１０４がスライド操作されたことを受けて、ＣＰＵ１４０からの、沈胴式のレンズ鏡胴１０１がデジタルカメラ２００の本体に収納されている沈胴状態のレンズ鏡胴１０１を繰り出させるレンズ鏡胴駆動動作の指示に従った指示信号がレンズ鏡胴駆動モータ１２４に与えられ、レンズ鏡胴駆動モータ１２４がその指示信号に従って回転する。（ステップＳ２１）。
【００６５】
ステップＳ２１によるレンズ鏡胴駆動動作が開始されたことを受けて、電源制御部１４６によって、デジタルカメラ２００に装填された二次電池１４５の電圧の計測が実行される（ステップＳ２２）。
【００６６】
ステップＳ２１で計測された電圧が所定の電圧以上の場合には（ステップＳ２３：Ｙｅｓ）、ステップＳ２１で開始されたレンズ鏡胴駆動動作と並行して、ＣＰＵ１４０からの、ハードディスク装置１６２に内蔵された磁気ディスク１６２ａを所定の回転数で回転させる磁気ディスク回転動作（スピンアップ動作）の指示に従った指示信号が磁気ディスク駆動モータ１６３に与えられ、磁気ディスク１６２ａが所定の回転数で回転する（ステップＳ２５）。
【００６７】
また、ステップＳ２１で計測された電圧が所定の電圧未満の場合には（ステップＳ２３：Ｎｏ）、ステップＳ２１で開始されたレンズ鏡胴駆動動作が完了するまでこのレンズ鏡胴駆動動作が引き続き実行される（ステップＳ２４：Ｎｏ）。この場合には、ステップＳ２１で開始されたレンズ鏡胴駆動動作が完了したことを受けて（ステップＳ２４：Ｙｅｓ）、ＣＰＵ１４０からの、ハードディスク装置１６２に内蔵された磁気ディスク１６２ａを所定の回転数で回転させる磁気ディスク回転動作（スピンアップ動作）の指示に従った指示信号が磁気ディスク駆動モータ１６３に与えられ、磁気ディスク１６２ａが所定の回転数で回転する（ステップＳ２５）。
【００６８】
ステップＳ２５によるスピンアップ動作が完了したことを受けて、ＣＰＵ１４０からの、メインコンデンサを充電するメインコンデンサ充電動作の指示に従った指示信号がコンデンサ充電制御部１４２に与えられ、コンデンサ充電制御部１４２がその指示信号に従ってメインコンデンサを充電する（ステップＳ２６）。
【００６９】
このように、上述した第２実施形態のデジタルカメラ２００は、それぞれが多大な電力を消費する動作である上記レンズ鏡胴駆動動作、上記磁気ディスク回転動作、および上記メインコンデンサ充電動作のうちのレンズ鏡胴駆動動作の実行を開始して二次電池１４５の電圧の計測を実行し、計測された電圧が所定の電圧以上の場合には、実行しているレンズ鏡胴駆動動作と並行して磁気ディスク回転動作を実行するものであるため、起動時にこのデジタルカメラ２００がシステムダウンすることが回避される。また、計測された電圧が所定の電圧以上の場合には、このデジタルカメラ２００を、上述した第１実施形態で説明した常に各々の動作を時間的に排他的に実行するデジタルカメラ１００よりも短時間で起動することができる。
【００７０】
尚、上述した第２実施形態では、レンズ鏡胴駆動動作を開始して二次電池１４５の電圧の計測を実行し、計測された電圧が所定の電圧以上の場合には、実行しているレンズ鏡胴駆動動作と並行して磁気ディスク回転動作を実行する例を挙げたが、本発明は、これに限られるものではなく、レンズ鏡胴駆動動作、磁気ディスク回転動作、およびメインコンデンサ充電動作のうちの何れか１つの動作の実行を開始して電池の電圧の計測を実行し、計測された電圧が所定の電圧以上の場合には、実行している動作と並行して他の１つの動作を実行するものであればよい。
【００７１】
また、上述した第２実施形態では、沈胴式のレンズ鏡胴、ハードディスク装置、および閃光発光装置を備えた撮像装置の例を挙げたが、本発明は、これら３要素のうちの何れか２要素を備えた撮像装置において、備えられた２要素の各々の動作のうちの何れか一方の動作の実行を開始して電池の電圧の計測を実行し、計測された電圧が所定の電圧以上の場合には、実行している動作と並行して他方の動作を実行するものであってもよい。
【００７２】
以上で、本発明の第２実施形態の説明を終了する。
【図面の簡単な説明】
【００７３】
【図１】本発明の撮影装置の第１実施形態が適用されたデジタルカメラであって、レンズ鏡胴がカメラ本体に収納されている沈胴状態を示す外観斜視図である。
【図２】図１に示すデジタルカメラであって、レンズ鏡胴が繰り出されている繰出状態を示す斜視図である。
【図３】図１，図２に示すデジタルカメラを背面斜め上から見た外観斜視図である。
【図４】図１〜図３に示すデジタルカメラ１００のブロック図である。
【図５】デジタルカメラ１００の起動処理が開始されてから撮影操作が可能な状態となるまでの間における動作の流れを説明するフローチャートである。
【図６】本発明の撮影装置の第２実施形態が適用されたデジタルカメラ２００のブロック図である。
【図７】デジタルカメラ２００の起動処理が開始されてから撮影操作が可能な状態となるまでの間における動作の流れを説明するフローチャートである。
【符号の説明】
【００７４】
１００    デジタルカメラ
１０１    レンズ鏡胴
１０１ａ    撮影レンズ
１０２    光学式ファインダ対物窓
１０３    閃光発光装置
１０４    電源ボタン
１０５    シャッタレリーズボタン
１０６    光学式ファインダ接眼窓
１０７１    メニューボタン
１０７２    画面切換ボタン
１０７３    ズーム操作キー
１０７３ａ，１０７３ｂ    操作部
１０７４    十字キー
１０７５    実行ボタン
１０８    ＬＣＤパネル
１１０    光学系
１１１    ズームレンズ
１１２    アイリス
１１３    フォーカスレンズ
１２０    光学系駆動部
１２１    ズームモータ
１２２    絞りモータ
１２３    フォーカスモータ
１２４    レンズ鏡胴駆動モータ
１３０    画像信号処理部
１３１    ＣＣＤ
１３２    アナログ信号処理部
１３３    ＡＤＣ
１３４    デジタル信号処理部
１４０    ＣＰＵ
１４１    操作部
１４２    コンデンサ充電制御部
１４３    閃光発光装置
１４４    電源制御部
１４５    二次電池
１５１    メモリＩ／Ｆ
１５２    ＲＯＭ
１５３    ＲＡＭ
１６１    ハードディスクＩ／Ｆ
１６２    ハードディスク装置
１６２ａ    磁気ディスク
１６３    磁気ディスク駆動モータ
１７０    画像表示装置
【図１】
2006254011.tif 000003
【図２】
2006254011.tif 000004
【図３】
2006254011.tif 000005
【図４】
2006254011.tif 000006
【図５】
2006254011.tif 000007
【図６】
2006254011.tif 000008
【図７】
2006254011.tif 000009